(57)【要約】【課題】所定の規則に基づいて共通のフレームから連続した複数のフィールドを生成して得られた画像信号であるか否かを高い信頼性で判定できる信号処理方法を提供する。【解決手段】差分生成部３１が、ビデオ信号Ｓ５５の各フィールドについて順に、当該フィールドと当該フィールドの１つ前あるいは後のフィールドとの差分を示す差分信号Ｓ３１を生成する。分散算出部３２が、差分信号Ｓ３１内の所定の規則に基づいて予め規定した複数のフィールドについての差分の分散値を生成する。判定部３３が、上記分散値を基に、ビデオ信号Ｓ５５が２−２シーケンス形式であるか否かを判定する。【選択図】      図７
2005057335.tif 000002
【特許請求の範囲】
【請求項１】
所定の規則に基づいて共通のフレームから連続した複数のフィールドを生成して得られた画像信号であるか否かを判定する信号処理方法であって、
判定対象の画像信号の各フィールドについて順に、当該フィールドと当該フィールドの１つ前あるいは後のフィールドとの差分を示す差分信号を生成する第１の工程と、
前記第１の工程で生成した前記差分信号内の前記所定の規則に基づいて予め規定した複数の前記フィールドについての前記差分の分散値を生成する第２の工程と、
前記第２の工程で生成した前記分散値を基に、前記判定対象の画像信号が前記所定の規則に基づいて得られたものであるか否かを判定する第３の工程と
を有する信号処理方法。
【請求項２】
所定の規則に基づいて共通のフレームから連続した複数のフィールドを生成して得られた画像信号であるか否かを判定する信号処理装置であって、
判定対象の画像信号の各フィールドについて順に、当該フィールドと当該フィールドの１つ前あるいは後のフィールドとの差分を示す差分信号を生成する差分生成手段と、
前記差分生成手段が生成した前記差分信号内の前記所定の規則に基づいて予め規定した複数の前記フィールドについての前記差分の分散値を生成する分散算出手段と、
前記分散算出手段が生成した前記分散値を基に、前記判定対象の画像信号が前記所定の規則に基づいて得られたものであるか否かを判定する判定手段と
を有する信号処理装置。
【請求項３】
前記判定手段によって前記判定対象の画像信号が前記所定の規則に基づいて得られたものであると判定された前記画像信号を、プログレッシブ形式の画像信号に変換する変換手段
をさらに有する請求項２に記載の信号処理装置。
【請求項４】
画像信号の各フィールドについて順に、当該フィールドと当該フィールドの１つ前あるいは後のフィールドとの差分を示す差分信号を生成する第１の工程と、
前記第１の工程で生成した前記差分信号を基に、奇数番目の前記フィールドについての前記差分の第１の分散値と、偶数番目の前記フィールドについての前記差分の第２の分散値とを生成する第２の工程と、
前記第２の工程で生成した前記第１の分散値および前記第２の分散値を基に、前記画像信号を構成する２つの連続したフィールドが共通の単数のフレームから得られたものであるか否かを判定する第３の工程と
を有する信号処理方法。
【請求項５】
画像信号の各フィールドをライン補間して、各フィールドが１フレーム分の画像情報を持つ前記画像信号を生成する第４の工程
をさらに有し、
前記第１の工程は、前記第４の工程で生成した前記画像信号について前記差分信号を生成する
請求項４に記載の信号処理方法。
【請求項６】
前記第３の工程は、前記第２の工程で生成した前記第１の分散値および前記第２の分散値のうち小さい方の分散値と、所定の基準値とを基に、前記判定を行う
請求項４に記載の信号処理方法。
【請求項７】
前記第３の工程は、前記第２の工程で生成した前記第１の分散値と前記第２の分散値との差分の絶対値と、所定の基準値とを基に、前記判定を行う
請求項４に記載の信号処理方法。
【請求項８】
画像信号の各フィールドについて順に、当該フィールドと当該フィールドの１つ前あるいは後のフィールドとの差分を示す差分信号を生成する差分生成手段と、
前記差分生成手段が生成した前記差分信号を基に、奇数番目の前記フィールドについての前記差分の第１の分散値と、偶数番目の前記フィールドについての前記差分の第２の分散値とを生成する分散算出手段と、
前記分散算出手段が生成した前記第１の分散値および前記第２の分散値を基に、前記画像信号を構成する２つの連続したフィールドが共通の単数のフレームから得られたものであるか否かを判定する判定手段と
を有する信号処理装置。
【請求項９】
前記判定手段によって前記画像信号を構成する２つの連続したフィールドが共通の単数のフレームから得られたものであると判定された前記画像信号を、プログレッシブ形式の画像信号に変換する変換手段
をさらに有する請求項８に記載の信号処理装置。
【請求項１０】
画像信号の各フィールドについて順に、当該フィールドと当該フィールドの１つ前あるいは後のフィールドとの差分を示す差分信号を生成する第１の工程と、
前記第１の工程で生成した前記差分信号を基に、５フィールド毎に３回生じる他の２フィールドについての前記差分に比べて小さい差分の第１の分散値と、前記他の２フィールドについての前記差分の第２の分散値とを生成する第２の工程と、
前記第２の工程で生成した前記第１の分散値および前記第２の分散値を基に、前記画像信号が、共通の単数の第１のフレームから得られた３つのフィールドと、前記第１のフレームとは異なる共通の単数の第２のフレームから得られた２フィールドとが交互に生じる画像信号であるか否かを判定する第３の工程と
を有する信号処理方法。
【請求項１１】
画像信号の各フィールドについて順に、当該フィールドと当該フィールドの１つ前あるいは後のフィールドとの差分を示す差分信号を生成する差分生成手段と、
前記差分生成手段が生成した前記差分信号を基に、５フィールド毎に３回生じる他の２フィールドについての前記差分に比べて小さい差分の第１の分散値と、前記他の２フィールドについての前記差分の第２の分散値とを生成する分散算出手段と、
前記分散算出手段が生成した前記第１の分散値および前記第２の分散値を基に、前記画像信号が、共通の単数の第１のフレームから得られた３つのフィールドと、前記第１のフレームとは異なる共通の単数の第２のフレームから得られた２フィールドとが交互に生じる画像信号であるか否かを判定する判定手段と
を有する信号処理装置。
【請求項１２】
画像信号の各フィールドについて順に、当該フィールドと当該フィールドに続く第１のフィールドによって構成されるフレームと、前記第１のフィールドと当該第２のフィールドに続く第２のフィールドによって構成されるフレームとの差分を示す差分信号を生成する第１の工程と、
前記第１の工程で生成した前記差分信号を基に、５フィールド毎に１回生じる他の４フィールドについての前記差分に比べて小さい前記差分の第１の分散値と、前記他の４フィールドについての前記差分の第２の分散値とを生成する第２の工程と、
前記第２の工程で生成した前記第１の分散値および前記第２の分散値を基に、前記画像信号が、共通の第１のフレームから得られた３つのフィールドと、前記第１のフレームとは異なる共通の第２のフレームから得られた２フィールドとが交互に生じる画像信号であるか否かを判定する第３の工程と
を有する信号処理方法。
【請求項１３】
画像信号の各フィールドについて順に、当該フィールドと当該フィールドに続く第１のフィールドによって構成されるフレームと、前記第１のフィールドと当該第２のフィールドに続く第２のフィールドによって構成されるフレームとの差分を示す差分信号を生成する差分生成手段と、
前記差分生成手段が生成した前記差分信号を基に、５フィールドに１回生じる他のフィールドについての前記差分に比べて小さい前記差分の第１の分散値と、前記他の４フィールドについての前記差分の第２の分散値とを生成する分散算出手段と、
前記分散算出手段が生成した前記第１の分散値および前記第２の分散値を基に、前記画像信号が、共通の第１のフレームから得られた３つのフィールドと、前記第１のフレームとは異なる共通の第２のフレームから得られた２フィールドとが交互に生じる画像信号であるか否かを判定する判定手段と
を有する信号処理装置。
【発明の詳細な説明】
【０００１】
【発明の属する技術分野】
本発明は、２−２シーケンス形式や３−２シーケンス形式などの所定の規則に基づいて共通のフレームから連続した複数のフィールドを生成して得られた画像信号であるか否かを判定する信号処理方法およびその装置に関する。
【０００２】
【従来の技術】
インターレース形式の画像信号は、その１フレームが２フィールドで構成されており、２フィールドで１フレームの全ての水平ラインの信号が揃うように各フィールドが構成されている。
これに対して、プログレッシブ形式の画像信号は、１フィールドの水平ライン数をインターレース形式の画像信号の２倍にし、インターレースすることなく表示を行うために用いられる。プログレッシブ形式の画像信号による映像は、インターレース形式の画像信号による映像に比べて高画質である。
【０００３】
ところで、インターレース形式からプログレッシブ形式に画像信号を変換する場合、インターレース形式の画像信号の各フィールドの水平ライン数を２倍にする必要があるが、その場合に、元の画像信号が、どのような形式の画像信号であるかを検出して、その検出に基づいて、水平ライン数を増やす変換処理を行う必要がある。
例えば、画像信号のフレーム周波数が３０Ｈｚであるとすると、コンピュータグラフィックで作成されたアニメーションなどの映像の場合には、元の画像として、１秒当たり３０枚の画像を作成して、作成された１枚の画像から１フレーム、すなわち２フィールドを生成してインターレース形式の画像信号生成している。なお、このようなインターレース形式は２・２シーケンス形式と呼ばれる。
従って、このような画像信号をプログレッシブ形式に変換する場合には、各フィールドを、それに対応する隣接する他のフィールドの水平ラインを用いてライン補間を行う。
【０００４】
これに対して、映画フィルムに記録された画像の場合には、フィルム上のコマ数が毎秒２４コマなどであり、画像信号のフレーム周波数である３０Ｈｚなどと一致してないために、フィルム上の１コマから、２フレームを生成させる期間と、３フレームを生成させる期間とを組み合わせて、毎秒２４コマの画像を、３０フレームの周期に合わせるようにしてあった。
このため、このような画像の場合には、奇数フィールドと、偶数フィールドとが、同一の画像から生成されたものにはならないことがある。なお、このようなインターレース形式は、２−３シーケンス形式とも呼ばれる。
このような２−３形式の画像信号をプログレッシブ形式に変換する場合には、上記フィールドの構成を基に適切にライン補間を行う必要がある。
【０００５】
ところで、上述したインターレース形式の画像信号のシ−ケンス形式を判定する手法には、例えば、各フィールドとその直前のフィールドとを画素単位で比較し、そのレベル差が固定的に決められたしきい値を越えたか否かをフィールド単位で順に検出することで、上記判定を行うものがある。
【０００６】
【特許文献１】特開平０９−１８７８４号公報
【０００７】
【発明が解決しようとする課題】
しかしながら、上述した従来の判定方法では、上記しきい値として用いる最適な値は、画像の内容によって異なり、画像の内容によっては、上記レベル差がしきい値を越えたか否かの判断情報が、上記シーケンス形式を判定する上で適切でない場合がある。
例えば、上記画像信号による画像の動きの大小により、最適な上記しきい値は変動する。
そのため、従来の上述した手法では、画像信号のシ−ケンス形式の判定の信頼性が低いという問題がある。
所定の規則に基づいて共通のフレームから連続した複数のフィールドを生成して得られた画像信号であるか否かを判定するその他の場合にも、同様な問題がある。
【０００８】
本発明は、上述した従来技術に鑑みなされ、所定の規則に基づいて共通のフレームから連続した複数のフィールドを生成して得られた画像信号であるか否かを高い信頼性で判定できる信号処理方法およびその装置を提供することを目的とする。
【０００９】
【課題を解決するための手段】
上述した目的を達成するために、第１の発明の信号処理方法は、所定の規則に基づいて共通のフレームから連続した複数のフィールドを生成して得られた画像信号であるか否かを判定する信号処理方法であって、判定対象の画像信号の各フィールドについて順に、当該フィールドと当該フィールドの１つ前あるいは後のフィールドとの差分を示す差分信号を生成する第１の工程と、前記第１の工程で生成した前記差分信号内の前記所定の規則に基づいて予め規定した複数の前記フィールドについての前記差分の分散値を生成する第２の工程と、前記第２の工程で生成した前記分散値を基に、前記判定対象の画像信号が前記所定の規則に基づいて得られたものであるか否かを判定する第３の工程とを有する。
【００１０】
第１の発明の信号処理方法の作用は以下のようになる。
先ず、第１の工程において、判定対象の画像信号の各フィールドについて順に、当該フィールドと当該フィールドの１つ前あるいは後のフィールドとの差分を示す差分信号を生成する。
次に、第２の工程において、前記第１の工程で生成した前記差分信号内の前記所定の規則に基づいて予め規定した複数の前記フィールドについての前記差分の分散値を生成する。
次に、第３の工程において、前記第２の工程で生成した前記分散値を基に、前記判定対象の画像信号が前記所定の規則に基づいて得られたものであるか否かを判定する。
【００１１】
第２の発明の信号処理装置は、所定の規則に基づいて共通のフレームから連続した複数のフィールドを生成して得られた画像信号であるか否かを判定する信号処理装置であって、判定対象の画像信号の各フィールドについて順に、当該フィールドと当該フィールドの１つ前あるいは後のフィールドとの差分を示す差分信号を生成する差分生成手段と、前記差分生成手段が生成した前記差分信号内の前記所定の規則に基づいて予め規定した複数の前記フィールドについての前記差分の分散値を生成する分散算出手段と、前記分散算出手段が生成した前記分散値を基に、前記判定対象の画像信号が前記所定の規則に基づいて得られたものであるか否かを判定する判定手段とを有する。
【００１２】
第２の発明の信号処理装置の作用は以下のようになる。
先ず、差分生成手段が、判定対象の画像信号の各フィールドについて順に、当該フィールドと当該フィールドの１つ前あるいは後のフィールドとの差分を示す差分信号を生成する。
次に、分散算出手段が、前記差分生成手段が生成した前記差分信号内の前記所定の規則に基づいて予め規定した複数の前記フィールドについての前記差分の分散値を生成する。
次に、判定手段が、前記分散算出手段が生成した前記分散値を基に、前記判定対象の画像信号が前記所定の規則に基づいて得られたものであるか否かを判定する。
【００１３】
第３の発明の信号処理方法は、画像信号の各フィールドについて順に、当該フィールドと当該フィールドの１つ前あるいは後のフィールドとの差分を示す差分信号を生成する第１の工程と、前記第１の工程で生成した前記差分信号を基に、奇数番目の前記フィールドについての前記差分の第１の分散値と、偶数番目の前記フィールドについての前記差分の第２の分散値とを生成する第２の工程と、前記第２の工程で生成した前記第１の分散値および前記第２の分散値を基に、前記画像信号を構成する２つの連続したフィールドが共通の単数のフレームから得られたものであるか否かを判定する第３の工程とを有する。
【００１４】
第３の発明の信号処理方法の作用は以下のようになる。
先ず、第１の工程において、画像信号の各フィールドについて順に、当該フィールドと当該フィールドの１つ前あるいは後のフィールドとの差分を示す差分信号を生成する。
次に、第２の工程において、前記第１の工程で生成した前記差分信号を基に、奇数番目の前記フィールドについての前記差分の第１の分散値と、偶数番目の前記フィールドについての前記差分の第２の分散値とを生成する。
次に、第３の工程において、前記第２の工程で生成した前記第１の分散値および前記第２の分散値を基に、前記画像信号を構成する２つの連続したフィールドが共通の単数のフレームから得られたものであるか否かを判定する。
【００１５】
第４の発明の信号処理装置は、画像信号の各フィールドについて順に、当該フィールドと当該フィールドの１つ前あるいは後のフィールドとの差分を示す差分信号を生成する差分生成手段と、前記差分生成手段が生成した前記差分信号を基に、奇数番目の前記フィールドについての前記差分の第１の分散値と、偶数番目の前記フィールドについての前記差分の第２の分散値とを生成する分散算出手段と、前記分散算出手段が生成した前記第１の分散値および前記第２の分散値を基に、前記画像信号を構成する２つの連続したフィールドが共通の単数のフレームから得られたものであるか否かを判定する判定手段とを有する。
【００１６】
第４の発明の信号処理装置の作用は以下のようになる。
差分生成手段が、画像信号の各フィールドについて順に、当該フィールドと当該フィールドの１つ前あるいは後のフィールドとの差分を示す差分信号を生成する。
次に、分散算出手段が、前記差分生成手段が生成した前記差分信号を基に、奇数番目の前記フィールドについての前記差分の第１の分散値と、偶数番目の前記フィールドについての前記差分の第２の分散値とを生成する。
次に、判定手段が、前記分散算出手段が生成した前記第１の分散値および前記第２の分散値を基に、前記画像信号を構成する２つの連続したフィールドが共通の単数のフレームから得られたものであるか否かを判定する。
【００１７】
第５の発明の信号処理方法は、画像信号の各フィールドについて順に、当該フィールドと当該フィールドの１つ前あるいは後のフィールドとの差分を示す差分信号を生成する第１の工程と、前記第１の工程で生成した前記差分信号を基に、５フィールド毎に３回生じる他の２フィールドについての前記差分に比べて小さい差分の第１の分散値と、前記他の２フィールドについての前記差分の第２の分散値とを生成する第２の工程と、前記第２の工程で生成した前記第１の分散値および前記第２の分散値を基に、前記画像信号が、共通の単数の第１のフレームから得られた３つのフィールドと、前記第１のフレームとは異なる共通の単数の第２のフレームから得られた２フィールドとが交互に生じる画像信号であるか否かを判定する第３の工程とを有する。
【００１８】
第５の発明の信号処理方法の作用は以下のようになる。
先ず、第１の工程において、画像信号の各フィールドについて順に、当該フィールドと当該フィールドの１つ前あるいは後のフィールドとの差分を示す差分信号を生成する。
次に、第２の工程において、前記第１の工程で生成した前記差分信号を基に、５フィールド毎に３回生じる他の２フィールドについての前記差分に比べて小さい差分の第１の分散値と、前記他の２フィールドについての前記差分の第２の分散値とを生成する。
次に、第３の工程において、前記第２の工程で生成した前記第１の分散値および前記第２の分散値を基に、前記画像信号が、共通の単数の第１のフレームから得られた３つのフィールドと、前記第１のフレームとは異なる共通の単数の第２のフレームから得られた２フィールドとが交互に生じる画像信号であるか否かを判定する。
【００１９】
第６の発明の信号処理装置は、画像信号の各フィールドについて順に、当該フィールドと当該フィールドの１つ前あるいは後のフィールドとの差分を示す差分信号を生成する差分生成手段と、前記差分生成手段が生成した前記差分信号を基に、５フィールド毎に３回生じる他の２フィールドについての前記差分に比べて小さい差分の第１の分散値と、前記他の２フィールドについての前記差分の第２の分散値とを生成する分散算出手段と、前記分散算出手段が生成した前記第１の分散値および前記第２の分散値を基に、前記画像信号が、共通の単数の第１のフレームから得られた３つのフィールドと、前記第１のフレームとは異なる共通の単数の第２のフレームから得られた２フィールドとが交互に生じる画像信号であるか否かを判定する判定手段とを有する。
【００２０】
第６の発明の信号処理装置の作用は以下のようになる。
先ず、差分生成手段が、画像信号の各フィールドについて順に、当該フィールドと当該フィールドの１つ前あるいは後のフィールドとの差分を示す差分信号を生成する。
次に、分散算出手段が、前記差分生成手段が生成した前記差分信号を基に、５フィールド毎に３回生じる他の２フィールドについての前記差分に比べて小さい差分の第１の分散値と、前記他の２フィールドについての前記差分の第２の分散値とを生成する。
次に、判定手段が、前記分散算出手段が生成した前記第１の分散値および前記第２の分散値を基に、前記画像信号が、共通の単数の第１のフレームから得られた３つのフィールドと、前記第１のフレームとは異なる共通の単数の第２のフレームから得られた２フィールドとが交互に生じる画像信号であるか否かを判定する。
【００２１】
第７の発明の信号処理方法は、画像信号の各フィールドについて順に、当該フィールドと当該フィールドに続く第１のフィールドによって構成されるフレームと、前記第１のフィールドと当該第２のフィールドに続く第２のフィールドによって構成されるフレームとの差分を示す差分信号を生成する第１の工程と、前記第１の工程で生成した前記差分信号を基に、５フィールド毎に１回生じる他の４フィールドについての前記差分に比べて小さい前記差分の第１の分散値と、前記他の４フィールドについての前記差分の第２の分散値とを生成する第２の工程と、前記第２の工程で生成した前記第１の分散値および前記第２の分散値を基に、前記画像信号が、共通の第１のフレームから得られた３つのフィールドと、前記第１のフレームとは異なる共通の第２のフレームから得られた２フィールドとが交互に生じる画像信号であるか否かを判定する第３の工程とを有する。
【００２２】
第７の発明の信号処理方法の作用は以下のようになる。
先ず、第１の工程において、画像信号の各フィールドについて順に、当該フィールドと当該フィールドに続く第１のフィールドによって構成されるフレームと、前記第１のフィールドと当該第２のフィールドに続く第２のフィールドによって構成されるフレームとの差分を示す差分信号を生成する。
次に、第２の工程において、前記第１の工程で生成した前記差分信号を基に、５フィールド毎に１回生じる他の４フィールドについての前記差分に比べて小さい前記差分の第１の分散値と、前記他の４フィールドについての前記差分の第２の分散値とを生成する。
次に、第３の工程において、前記第２の工程で生成した前記第１の分散値および前記第２の分散値を基に、前記画像信号が、共通の第１のフレームから得られた３つのフィールドと、前記第１のフレームとは異なる共通の第２のフレームから得られた２フィールドとが交互に生じる画像信号であるか否かを判定する。
【００２３】
第８の発明の信号処理装置は、画像信号の各フィールドについて順に、当該フィールドと当該フィールドに続く第１のフィールドによって構成されるフレームと、前記第１のフィールドと当該第２のフィールドに続く第２のフィールドによって構成されるフレームとの差分を示す差分信号を生成する差分生成手段と、前記差分生成手段が生成した前記差分信号を基に、５フィールドに１回生じる他のフィールドについての前記差分に比べて小さい前記差分の第１の分散値と、前記他の４フィールドについての前記差分の第２の分散値とを生成する分散算出手段と、前記分散算出手段が生成した前記第１の分散値および前記第２の分散値を基に、前記画像信号が、共通の第１のフレームから得られた３つのフィールドと、前記第１のフレームとは異なる共通の第２のフレームから得られた２フィールドとが交互に生じる画像信号であるか否かを判定する判定手段とを有する。
【００２４】
第８の発明の信号処理装置の作用は以下のようになる。
先ず、差分生成手段が、画像信号の各フィールドについて順に、当該フィールドと当該フィールドに続く第１のフィールドによって構成されるフレームと、前記第１のフィールドと当該第２のフィールドに続く第２のフィールドによって構成されるフレームとの差分を示す差分信号を生成する。
次に、分散算出手段が、前記差分生成手段が生成した前記差分信号を基に、５フィールドに１回生じる他のフィールドについての前記差分に比べて小さい前記差分の第１の分散値と、前記他の４フィールドについての前記差分の第２の分散値とを生成する。
次に、判定手段が、前記分散算出手段が生成した前記第１の分散値および前記第２の分散値を基に、前記画像信号が、共通の第１のフレームから得られた３つのフィールドと、前記第１のフレームとは異なる共通の第２のフレームから得られた２フィールドとが交互に生じる画像信号であるか否かを判定する。
【００２５】
【発明の実施の形態】
以下、本発明の実施形態に係わる信号処理装置について説明する。
第１実施形態
当該実施形態は、第１、第２、第３および第４の発明に対応した実施形態である。
以下、２−２シーケンス判定部に特徴を有する信号処理装置１について説明する。
図１は、本発明の第１実施形態に係わる信号処理装置１の構成図である。
図１に示すように、信号処理装置１は、例えば、前処理部５、ＩＰ変換部６、表示駆動部７および表示部８を有する。
ここで、信号処理装置１またはＩＰ変換部６が本発明の信号処理装置に対応している。
【００２６】
前処理部５は、入力したビデオ信号Ｓ０に前処理を施してビデオ信号Ｓ５を生成し、これをＩＰ変換部６に出力する。
ＩＰ変換部６は、入力したビデオ信号Ｓ５にＩＰ（Ｉｎｔｅｒｌａｃｅ  ｐｒｏｇｒｅｓｓｉｖｅ）  変換を施してビデオ信号Ｓ６を生成し、これを表示駆動部７に出力する。
表示駆動部７は、ビデオ信号Ｓ６を基に表示部８を制御して、ビデオ信号Ｓ６に応じた画像を表示部８に表示させる。
【００２７】
本実施形態では、ＩＰ変換部６において、ビデオ信号Ｓ５が、図２に示す２−２シーケンス形式のビデオ信号であるか否かを判定する。
図２に示すように、ビデオ信号Ｓ５は、２−２シーケンス形式のインターレース信号である場合に、例えば、周波数３０Ｈｚのプログレッシブ形式のビデオ信号ＰＳの各フレームから奇数フィールドおよび偶数フィールドを生成して得られる周波数６０Ｈｚの信号である。
図２に示すように、ビデオ信号Ｓ５が２−２シーケンス形式である場合に、例えば、ビデオ信号Ｓ５の奇数フィールド「Ａ（ｏｄｄ）」およびそれに続く偶数フィールド「Ａ（ｅｖｅｎ）」は、プログレッシブ形式のビデオ信号ＰＳのフレーム「Ａ」から生成される。
また、ビデオ信号Ｓ５の奇数フィールド「Ｂ（ｏｄｄ）」およびそれに続く偶数フィールド「Ｂ（ｅｖｅｎ）」は、プログレッシブ形式のビデオ信号ＰＳのフレーム「Ｂ」から生成される。
また、ビデオ信号Ｓ５の奇数フィールド「Ｃ（ｏｄｄ）」およびそれに続く偶数フィールド「Ｃ（ｅｖｅｎ）」は、プログレッシブ形式のビデオ信号ＰＳのフレーム「Ｃ」から生成される。
【００２８】
ＩＰ変換部６は、２−２シーケンス形式のビデオ信号Ｓ５に２−２変換を施して、図２に示すように、６０Ｈｚのプログレッシブ信号であるビデオ信号Ｓ６を生成する。
【００２９】
図３は、図１に示すＩＰ変換部６の構成図である。
図３に示すように、ＩＰ変換部６は、例えば、メモリ１３、フィールド補間部１４、２−２シーケンス判定部１５、２−２変換部１６、ＩＰ変換部１７および出力部１８を有する。
〔メモリ１３〕
メモリ１３は、前処理部５から入力したビデオ信号Ｓ５を一時的に記憶して２−２シーケンス判定部１５に出力する。
具体的には、メモリ１３は、前処理部５から入力したビデオ信号Ｓ５を、フィールド補間部１４における処理時間だけ遅延させて２−２シーケンス判定部１５に出力する。
【００３０】
〔フィールド補間部１４〕
フィールド補間部１４は、前処理部５から入力したビデオ信号Ｓ１５のフィールドをライン補間するフィールドからなるビデオ信号Ｓ１４を生成し、これを２−２シーケンス判定部１５に出力する。
例えば、ビデオ信号Ｓ５が図２を用いて説明した２−２シーケンス形式である場合、図４に示すように、フィールド補間部１４は、例えば、ビデオ信号Ｓ５の奇数フィールド「Ａ（ｏｄｄ）」のラインＬ＿ｏｄｄ（実ライン）を基にラインＬ＿ｏｄｄ’（補間ライン）を生成することで、当該ラインＬ＿ｏｄｄ’からなるビデオ信号Ｓ１４を生成する。
偶数フィールド「Ａ（ｅｖｅｎ）」、奇数フィールド「Ｂ（ｏｄｄ）」，偶数フィールド「Ｂ（ｅｖｅｎ）」、奇数フィールド「Ｃ（ｏｄｄ）」，偶数フィールド「Ｃ（ｅｖｅｎ）」についても同様である。
【００３１】
具体的には、フィールド補間部１４は、図５に示すように、各フィールドについて、当該フィールドの隣接する実ライン上ＲＬ１，ＲＬ２の８個の画素の画素データを基に、補間ライン上の１個の画素の画素データを生成して上記ライン補間を行う。
例えば、フィールド補間部１４は、例えば、画素ｈの画素データを生成する場合に、画素ｈを直線で通過する上下の２つの画素のペアａ−ｏ，ｂ−ｎ，ｃ−ｍ，ｄ−ｌ，ｅ−ｋを用意し、その用意された複数のペアの中から、そのときの画像の状態に基づいて最も確からしい画素のペアを選択する。そして、フィールド補間部１４は、当該選択した画素のペアの画素データの平均をとることにより、補間点の画素ｈの画素データを生成する。
【００３２】
これにより、２−２シーケンス判定部１５には、ビデオ信号Ｓ５とビデオ信号Ｓ１４により、図６に示すように、各フィールドがライン補間された１フレーム分の情報を持つビデオ信号Ｓ２０が入力される。
【００３３】
〔２−２シーケンス判定部１５〕
図７は、図３に示す２−２シーケンス判定部１５の構成図である。
図７に示すように、２−２シーケンス判定部１５は、例えば、差分生成部３１、分散算出部３２および判定部３３を有する。
ここで、差分生成部３１が第２または第４の発明の差分生成手段に対応し、分散算出部３２が第２または第４の発明の差分算出手段に対応し、判定部３３が第２または第４の発明の判定手段に対応している。
【００３４】
差分生成部３１は、図８に示すように、ビデオ信号Ｓ２０の各々のフィ−ルドについて、当該フィールドＦＩＬａとそれに続くフィールドＦＩＬｂとの差分を検出し、その差分を示す差分信号Ｓ３１を生成する。
差分生成部３１は、例えば、図９（Ａ）に示すビデオ信号Ｓ２０に対して、図９（Ｂ）に示す差分信号Ｓ３１を生成する。
図９（Ｂ）は、フィールド「Ａ」と「Ｂ」との差分と、フィールド「Ｂ」と「Ｃ」との差分が略同じ場合の差分信号Ｓ３１の波形を示している。
図１０（Ｂ）は、フィールド「Ａ」と「Ｂ」との差分の方が、フィールド「Ｂ」と「Ｃ」との差分に比べて大きい場合の差分信号Ｓ３１の波形を示している。
図１１（Ｂ）は、フィールド「Ａ」と「Ｂ」との差分と、フィールド「Ｂ」と「Ｃ」との差分が略同じで、しかも、図９（Ｂ）に比べて小さい場合の差分信号Ｓ３１の波形を示している。
図１２（Ｂ），（Ｃ）に示すように、動きが大きい画像を表示するビデオ信号Ｓ２０の差分信号Ｓ３１は、動きが小さい画像を表示するビデオ信号Ｓ２０の差分信号Ｓ３１よりも差分値が大きくなる。
【００３５】
分散算出部３２は、差分生成部３１が生成した差分信号Ｓ３１を基に、奇数フィールドとそれに続く（あるはその一つ前の）偶数フィールドとの間の差分（本発明の奇数番目のフィールドの差分）の第１の分散値σ２  ＿ｏｄｄ（本発明の第１の分散値）を生成する。
また、分散算出部３２は、差分信号Ｓ３１を基に、偶数フィールドとそれに続く（あるいはその１つ前の）奇数フィールドとの間の差分（奇数番目のフィールドの差分）の第２の分散値σ２  ＿ｅｖｅｎ（本発明の第２の分散値）を生成する。
【００３６】
分散算出部３２は、例えば、ビデオ信号Ｓ４内の８フィールド（４フレーム）についての差分の第１の分散値σ２  ＿ｏｄｄおよび第２の分散値σ２  ＿ｅｖｅｎを生成する。
ここで、上記８フィールドについての差分を、フィールドＦＬＤＤＩＦＦ１〜８とすると、分散算出部３２は、第１の分散値σ２  ＿ｏｄｄおよび第２の分散値σ２  ＿ｅｖｅｎを下記式（１）〜（４）により生成する。
【００３７】
【数１】
ｘ＿ｏｄｄ＿ａｖｅ＝（ＦＬＤＤＩＦＦ１＋ＦＬＤＤＩＦＦ３＋ＦＬＤＤＩＦＦ５＋ＦＬＤＤＩＦＦ７）／４                    …（１）
【００３８】
【数２】
ｘ＿ｅｖｅｎ＿ａｖｅ＝（ＦＬＤＤＩＦＦ２＋ＦＬＤＤＩＦＦ４＋ＦＬＤＤＩＦＦ６＋ＦＬＤＤＩＦＦ８）／４                  …（２）
【００３９】
【数３】
σ２  ＿ｏｄｄ＝（（ＦＬＤＤＩＦＦ１−ｘ＿ｏｄｄ＿ａｖｅ）２  ＋（ＦＬＤＤＩＦＦ３−ｘ＿ｏｄｄ＿ａｖｅ）２  ＋（ＦＬＤＤＩＦＦ５−ｘ＿ｏｄｄ＿ａｖｅ）２  ＋（ＦＬＤＤＩＦＦ７−ｘ＿ｏｄｄ＿ａｖｅ）２  ）／４…（３）
【００４０】
【数４】
σ２  ＿ｅｖｅｎ＝（（ＦＬＤＤＩＦＦ２−ｘ＿ｏｄｄ＿ａｖｅ）２  ＋（ＦＬＤＤＩＦＦ４−ｘ＿ｏｄｄ＿ａｖｅ）２  ＋（ＦＬＤＤＩＦＦ６−ｘ＿ｏｄｄ＿ａｖｅ）２  ＋（ＦＬＤＤＩＦＦ８−ｘ＿ｏｄｄ＿ａｖｅ）２  ）／４…（４）
【００４１】
判定部３３は、分散算出部３２が生成した第１の分散値σ２  ＿ｏｄｄおよび第２の分散値σ２  ＿ｅｖｅｎを基に、ビデオ信号Ｓ５が、同じフレームから得られた２つのフィールドを連続して表示するビデオ信号、すなわち２−２シーケンス形式であるか否かを判定し、その判定結果を示す判定信号Ｓ１５を出力部１８に出力する。
具体的には、判定部３３は、第１の分散値σ２  ＿ｏｄｄおよび第２の分散値σ２  ＿ｅｖｅｎのうち小さい方が所定のしきい値σ２  ＿ｓｍａｌｌ＿ｔｈ未満である場合には２−２シーケンス形式であると判定し、そうでない場合には２−２シーケンス形式ではないと判定する。
【００４２】
以下、図７に示す２−２シーケンス判定部１５の動作例を説明する。
図１３および図１４は、図７に示す２−２シーケンス判定部１５の動作例を説明するためのフローチャートである。
本実施形態において、ステップＳＴ１３が第１または第３の発明の第１の工程に対応し、ステップＳＴ３，ＳＴ４が第１または第３の発明の第２の工程に対応し、ステップＳＴ５〜１０が第１または第３の発明の第３の工程に対応している。
【００４３】
ステップＳＴ１：
差分生成部３１は、フィールド補間部１４からライン補間されたビデオ信号Ｓ２０を入力する。
ステップＳＴ２：
差分生成部３１は、ビデオ信号Ｓ２０の各々のフィールドについて、当該フィールドとそれに続くフィールドとの差分を検出し、その差分を順に示す差分信号Ｓ３１を生成する。
【００４４】
ステップＳＴ３：
分散算出部３２は、ステップＳＴ２で差分生成部３１が生成した差分信号Ｓ３１を基に、奇数フィールドとそれに続く偶数フィールドとの間の差分の第１の分散値σ２  ＿ｏｄｄを生成する。
ステップＳＴ４：
分散算出部３２は、差分信号Ｓ３１を基に、偶数フィールドとそれに続く奇数フィールドとの間の差分の第２の分散値σ２  ＿ｅｖｅｎを生成する。
【００４５】
ステップＳＴ５：
判定部３３は、ステップＳＴ３で生成した第１の分散値σ２  ＿ｏｄｄおよびステップＳＴ４で生成した第２の分散値σ２  ＿ｅｖｅｎのうち何れが小さいかを判断し、第２の分散値σ２  ＿ｅｖｅｎが小さいと判断するとステップＳＴ６に進み、第１の分散値σ２  ＿ｏｄｄが小さいと判断するとステップＳＴ７に進む。
ステップＳＴ６：
判定部３３は、分散値σ２  ＿ｓｍａｌｌに、第２の分散値σ２  ＿ｅｖｅｎを代入する。
ステップＳＴ７：
判定部３３は、分散値σ２  ＿ｓｍａｌｌに、第１の分散値σ２  ＿ｏｄｄを代入する。
【００４６】
ステップＳＴ８：
判定部３３は、ステップＳＴ６あるいはＳＴ７で得た分散値σ２  ＿ｓｍａｌｌが所定のしきい値σ２  ＿ｓｍａｌｌ＿ｔｈより大きいか否かを判断し、大きいと判断するとステップＳＴ１０に進み、そうでない場合にはステップＳＴ９に進む。
ステップＳＴ９：
判定部３３は、ビデオ信号Ｓ５が２−２シーケンス形式であると判定する。
ステップＳＴ１０：
判定部３３は、ビデオ信号Ｓ５が２−２シーケンス形式ではないと判定する。
【００４７】
〔２−２変換部１６〕
２−２変換部１６は、例えば、図２に示すように、周波数６０Ｈｚの２−２シーケンス形式のビデオ信号Ｓ５から、周波数６０Ｈｚのプログレッシブ形式のビデオ信号Ｓ１６を生成し、これを出力部１８に出力する。
具体的には、２−２変換部１６は、ビデオ信号Ｓ５の奇数フィールドとそれに続く偶数フィ−ルドから、それぞれ連続する２フレームを生成することでビデオ信号Ｓ１６を生成する。
【００４８】
〔ＩＰ変換部１７〕
ＩＰ変換部１７は、２−２シーケンス形式以外の形式のビデオ信号Ｓ５から、プログレッシブ形式のビデオ信号Ｓ１７を生成し、これを出力部１８に出力する。
【００４９】
〔出力部１８〕
出力部１８は、２−２シーケンス判定部１５からの判定信号Ｓ１５が２−２シーケンスであることを示す場合に、２−２変換部１６からのビデオ信号Ｓ１６を選択してビデオ信号Ｓ６として表示駆動部７に出力する。
また、出力部１８は、判定信号Ｓ１５が２−２シーケンスではないことを示す場合に、ＩＰ変換部１７からのビデオ信号Ｓ１７を選択してビデオ信号Ｓ６として表示駆動部７に出力する。
【００５０】
以下、図３に示すＩＰ変換部６の全体動作例を説明する。
当該動作例では、図１に示す前処理部５から、２−２シーケンス形式のビデオ信号Ｓ５をＩＰ変換部６が入力した場合を説明する。
ビデオ信号Ｓ５は、メモリ１３に書き込まれると共に、フィールド補間部１４に出力される。
フィールド補間部１４は、入力したビデオ信号Ｓ１５の各フィールドをライン補間するフィールドからなるビデオ信号Ｓ１４を生成し、これを２−２シーケンス判定部１５に出力する。
また、２−２シーケンス判定部１５には、メモリ１３から読み出されたビデオ信号Ｓ５が入力される。
２−２シーケンス判定部１５へのビデオ信号Ｓ５およびビデオ信号Ｓ１４の入力をタイミング調整して同期させることで、ビデオ信号Ｓ５の各フィールドをライン補間して各フィールドが１フレーム分の画像情報を持つビデオ信号Ｓ２０が２−２シーケンス判定部１５に入力される。
【００５１】
図７に示す２−２シーケンス判定部１５では、図１３および図１４を用いて前述した動作が行われ、当該動作例では、ビデオ信号Ｓ５が２−２シーケンス形式であると判定され、その判定結果を示す判定信号Ｓ１５が出力部１８に出力される。
また、２−２変換部１６が、例えば、図２に示すように、周波数６０Ｈｚの２−２シーケンス形式のビデオ信号Ｓ５から、周波数６０Ｈｚのプログレッシブ形式のビデオ信号Ｓ１６を生成し、これを出力部１８に出力する。
それと並行して、ＩＰ変換部１７が、２−２シーケンス形式以外の形式のビデオ信号Ｓ５から、プログレッシブ形式のビデオ信号Ｓ１７を生成し、これを出力部１８に出力する。
【００５２】
そして、出力部１８が、２−２シーケンス判定部１５からの判定信号Ｓ１５を基に、ビデオ信号Ｓ１６を選択してビデオ信号Ｓ６として後段の表示駆動部７に出力する。
【００５３】
以上説明したように、２−２シーケンス判定部１５では、ビデオ信号Ｓ５の各フィールドについて、当該フィールドとそれに続くフィールドとの差分の分散値σ２  ＿ｏｄｄ，σ２  ＿ｅｖｅｎを求め、その分散値と所定のしき値σ２  ＿ｓｍａｌｌ＿ｔｈとを基に、ビデオ信号Ｓ５が２−２シーケンス形式であるか否かを判定する。
すなわち、２−２シーケンス判定部１５では、奇数フィールドとそれに続く偶数フィールドとの間の差分のばらつき、並びに偶数フィールドとそれに続く奇数フィールドとの間の差分のばらつきを基に、上記判定を行う。
そのため、２−２シーケンス判定部１５によれば、ビデオ信号Ｓ５による画像の動きの大小とは無関係に上記判定を行うことが可能になり、上記判定の精度を従来に比べて高めることができる。
なお、上述した実施形態では、分散値の算出の対象となる差分の数が多くなるに従って、その信頼性がさらに向上する。
【００５４】
第１実施形態の変形例
図７に示す２−２シーケンス判定部１５は、図１３および図１４に示す判定処理の代わりに、以下に示す判定処理を行ってもよい。
図１５および図１６は、本実施形態における２−２シーケンス判定部１５ａの判定処理を説明するためのフローチャートである。
図１５に示すステップＳＴ１〜ＳＴ４は、図１３に示すステップＳＴ１〜ＳＴ４と同じである。
以下、図１５および図１６に示すステップＳＴ１１〜ＳＴ１４について説明する。
ステップＳＴ１１：
２−２シーケンス判定部１５ａの判定部３３ａは、下記式（５）を基に、ステップＳＴ３で生成した第１の分散値σ２  ＿ｏｄｄから第２の分散値σ２  ＿ｅｖｅｎを減算し、その絶対値を差分値ｄｉｆｆ＿ａｂｓとする。
【００５５】
【数５】
ｄｉｆｆ＿ａｂｓ＝｜σ２  ＿ｏｄｄ−σ２  ＿ｅｖｅｎ｜…（５）
【００５６】
ステップＳＴ１２：
判定部３３ａは、ステップＳＴ１１で生成した差分値ｄｉｆｆ＿ａｂｓが、予め決めた所定のしきい値σ２  ＿ｄｉｆｆ＿ａｂｓ＿ｔｈより大きいか否かを判断し、大きいと判断するとステップＳＴ１３に進み、そうでない場合にはステップＳＴ１４に進む。
ステップＳＴ１３：
判定部３３ａは、ビデオ信号Ｓ５が２−２シーケンス形式であると判定する。
ステップＳＴ１４：
判定部３３ａは、ビデオ信号Ｓ５が２−２シーケンス形式ではないと判定する。
【００５７】
本実施形態では、差分値ｄｉｆｆ＿ａｂｓがしきい値σ２  ＿ｄｉｆｆ＿ａｂｓ＿ｔｈより大きい場合には、例えば、図６において、ビデオ信号Ｓ２０において、フィールドＡ（ｏｄｄ，ｏｄｄ’）とフィールドＡ（ｅｖｅｎ，ｅｖｅｎ’）との差分が小さいパターンが連続していることを意味する。これは、ビデオ信号Ｓ５に応じた画像の動きが小さく、フィールドＡ（ｅｖｅｎ，ｅｖｅｎ’）とフィールドＢ（ｏｄｄ，ｏｄｄ’）との差分が小さくても、フィールドＡ（ｏｄｄ，ｏｄｄ’）とフィールドＡ（ｅｖｅｎ，ｅｖｅｎ’）との差分に比べて相対的には大きくなるパターンが連続していることを意味する。
これにより、フィールドＡ（ｅｖｅｎ，ｅｖｅｎ’）とフィールドＢ（ｏｄｄ，ｏｄｄ’）との差分、並びにフィールドＢ（ｅｖｅｎ，ｅｖｅｎ’）とフィールドＣ（ｏｄｄ，ｏｄｄ’）との差分が小さくても、２−２シーケンス形式を適切に判定できる。
【００５８】
第２実施形態
当該実施形態は、第５または第６の発明に対応している。
以下、２−３シ−ケンス判定部に特徴を有する信号処理装置について説明する。
例えば、図１７に示すように、コマ数が毎秒２４コマなど映画フィルムから得られた周波数２４Ｈｚのプログレッシブ形式の画像信号ＰＳを基に、６０Ｈｚのインターレース形式の画像信号Ｓ５５を生成する場合がある。
この場合には、図１７に示すように、例えば、画像信号ＰＳの１枚のフレームＡから、画像信号Ｓ５５の３枚のフィールドＡ（ｏｄｄ），Ａ（ｅｖｅｎ），Ａ（ｏｄｄ）を生成し、続くフレームＢから２枚のフィ−ルドＢ（ｅｖｅｎ），Ｂ（ｏｄｄ）を生成し、この１枚のフレームから３枚のフィールドを生成し、続く１枚のフレームから２枚のフィールドを生成する処理を繰り返すことで、プログレッシブ形式の画像信号ＰＳをインターレース形式の画像信号Ｓ５５に変換する。
【００５９】
図１８は、本実施形態のＩＰ変換部５６の構成図である。
図１８に示すように、ＩＰ変換部５６は、例えば、メモリ６３、３−２シーケンス判定部６５、３−２変換部６６、ＩＰ変換部６７および出力部６８を有する。
ＩＰ変換部５６は、入力されたビデオ信号Ｓ５５をメモリ６３を介して３−２シーケンス判定部６５、３−２変換部６６およびＩＰ変換部６７に出力する。
３−２シーケンス判定部６５は、ビデオ信号Ｓ５５が３−２シーケンス形式であるか否かを判定し、その結果を示す判定信号Ｓ６５を出力部６８に出力する。
３−２変換部６６は、ビデオ信号Ｓ５５に３−２変換を施して、プログレッシブ形式のビデオ信号Ｓ６６を生成し、これを出力部６８に出力する。
ＩＰ変換部６７は、ビデオ信号Ｓ５５に３−２変換以外の変換を施して、プログレッシブ形式のビデオ信号Ｓ６７を生成し、これを出力部６８に出力する。
出力部６８は、判定信号Ｓ６５が３−２シーケンス形式を示す場合に、３−２変換部６６からのビデオ信号Ｓ６６を選択してビデオ信号Ｓ５６として出力する。
一方、出力部６８は、判定信号Ｓ６５が３−２シーケンス形式でないことを示す場合に、ＩＰ変換部６７からのビデオ信号Ｓ６７を選択してビデオ信号Ｓ５６として出力する。
【００６０】
以下、図１８に示す３−２シーケンス判定部６５について詳細に説明する。
図１９は、図１８に示す３−２シーケンス判定部６５の構成図である。
図１９に示すように、３−２シーケンス判定部６５は、例えば、差分生成部７１、分散算出部７２および判定部７３を有する。
ここで、差分生成部７１が第６の発明の差分生成手段に対応し、分散算出部７２が第６の発明の分散算出手段に対応し、判定部７３が第６の発明の判定手段に対応している。
【００６１】
差分生成部７１は、図２０に示すように、ビデオ信号Ｓ５５の各々のフィールドについて、当該フィールドとそれに続く（あるいは、当該フィールドの１つ前）フィールドとの差分を検出し、その差分を示す差分信号Ｓ７１を生成する。
差分生成部７１は、例えば、図２０（Ａ）に示す３−２シーケンス形式のビデオ信号Ｓ５５に対して、図２０（Ｂ）に示す差分信号Ｓ７１を生成する。
このように、ビデオ信号Ｓ５５が３−２シーケンス形式である場合には、５フィールド毎に、３フィールド分についての差分が、他の２フィールドについての差分より小さくなるパターンが差分信号Ｓ７１に生じる。
図２０の例では、ビデオ信号Ｓ５５の５フィールドＡ（ｏｄｄ），Ａ（ｅｖｅｎ），Ａ（ｏｄｄ），Ｂ（ｏｄｄ），Ｂ（ｅｖｅｎ）について、それに続くフィールドとの差分｜Ａｏ−Ａｅ｜，｜Ａｅ−Ａｏ｜，｜Ａｏ−Ｂｅ｜，｜Ｂｅ−Ｂｏ｜，｜Ｂｏ−Ｃｅ｜において、３フィールドの差分｜Ａｏ−Ａｅ｜，｜Ａｅ−Ａｏ｜，｜Ｂｅ−Ｂｏ｜が、他の２フィールドの差分｜Ａｏ−Ｂｅ｜，｜Ｂｏ−Ｃｅ｜に比べて小さくなる。
【００６２】
分散算出部７２は、上記差分の規則性に基づいて、他の２フィールドに比べて小さい３フィールドの差分の第１の分散値を生成する。
また、分散算出部７２は、上記２フィールドの差分の第２の分散値を生成する。
上記第１の分散値および上記第２の分散値は、５フィールドについて生成してもよいし、６フィールド以上について生成してもよい。
【００６３】
判定部７３は、上記生成した第１の分散値および第２の分散値を用いて、図１３および図１４を用いて説明したステップＳＴ５〜ＳＴ８の処理を行い、ステップＳＴ８で「Ｎ」の場合、ビデオ信号Ｓ５５が３−２シーケンス形式であると判定する。
判定部７３は、上記生成した第１の分散値および第２の分散値を用いて、図１５および図１６を用いて説明したステップＳＴ１１，ＳＴ１２の処理を行い、ステップＳＴ１２で「Ｙ」の場合、ビデオ信号Ｓ５５が３−２シーケンス形式であると判定する。
【００６４】
以上説明したように、３−２シーケンス判定部６５では、ビデオ信号Ｓ５５の各フィールドについて、上述したように当該フィールドとそれに続くフィールドとの差分の分散値σ２  ＿ｏｄｄ，σ２  ＿ｅｖｅｎを求め、その分散値と所定のしき値σ２  ＿ｓｍａｌｌ＿ｔｈとを基に、ビデオ信号Ｓ５５が３−２シーケンス形式であるか否かを判定する。
そのため、ビデオ信号Ｓ５５による画像の動きの大小とは無関係に、ビデオ信号Ｓ５５が３−２シーケンス形式であるか否かを高い信頼性で判定できる。
第２実施形態の変形例
本実施形態は、第７または第８の発明に対応した実施形態である。
以下、本実施形態に係わる３−２シーケンス判定部６５ａについて詳細に説明する。
図１９に示すように、３−２シーケンス判定部６５ａは、例えば、差分生成部７１ａ、分散算出部７２ａおよび判定部７３ａを有する。
差分生成部７１ａは、図２１に示すように、ビデオ信号Ｓ５５の各々のフィ−ルドについて、当該フィールドと当該フィールドに続く第１のフィールドによって構成されるフレームと、前記第１のフィールドと当該第１のフィールドに続く第２のフィールドによって構成されるフレームとの差分を示す差分信号Ｓ７１ａを生成する。
差分生成部７１ａは、例えば、図２１（Ａ）に示す３−２シーケンス形式のビデオ信号Ｓ５５に対して、図２０（Ｂ）に示す差分信号Ｓ７１ａを生成する。
このように、ビデオ信号Ｓ５５が３−２シーケンス形式である場合には、５フィールド毎に、１フィルード分についての差分が、他の４フィールドについての差分より小さくなるパターンが差分信号Ｓ７１ａに生じる。
図２０の例では、フィールドＡ（ｏｄｄ）およびＡ（ｅｖｅｎ）によって構成されるフレームと、フィールドＡ（ｅｖｅｎ）およびＡ（ｏｄｄ）によって構成されるフレームとの差分が、それに続く４フィールドについての差分に比べて小さくなる。
【００６５】
分散算出部７２ａは、上記差分の規則性に基づいて、上記他の４フィールドに比べて小さい１フィールドについての差分の第１の分散値を生成する。
また、分散算出部７２は、上記他の４フィールドについて差分の第２の分散値を生成する。
上記第１の分散値および上記第２の分散値は、５フィールドについて生成してもよいし、６フィールド以上について生成してもよい。
【００６６】
判定部７３ａは、上記生成した第１の分散値および第２の分散値を用いて、図１３および図１４を用いて説明したステップＳＴ５〜ＳＴ８の処理を行い、ステップＳＴ８で「Ｎ」の場合、ビデオ信号Ｓ５５が３−２シーケンス形式であると判定する。
判定部７３ａは、上記生成した第１の分散値および第２の分散値を用いて、図１５および図１６を用いて説明したステップＳＴ１１，ＳＴ１２の処理を行い、ステップＳＴ１２で「Ｙ」の場合、ビデオ信号Ｓ５５が３−２シーケンス形式であると判定する。
【００６７】
本発明は上述した実施形態には限定されない。
上述した実施形態では、ビデオ信号が２−２シーケンス形式あるいは３−２シーケンス形式であるか否かを判定したが、所定の規則に基づいて共通のフレームから連続した複数のフィールドを生成して得られた画像信号であるか否かを判定するその他の場合にも本発明は適用可能である。
【００６８】
【発明の効果】
以上説明したように、本発明によれば、所定の規則に基づいて共通のフレームから連続した複数のフィールドを生成して得られた画像信号であるか否かを高い信頼性で判定できる信号処理方法およびその装置を提供することができる。
【図面の簡単な説明】
【図１】図１は、本発明の第１実施形態に係わる信号処理装置の構成図である。
【図２】図２は、プログレッシブ形式の画像信号から２−２シーケンス形式の画像信号を生成する手法を説明するための図である。
【図３】図３は、図１に示すＩＰ変換部の構成図である。
【図４】図４は、図３に示すフィールド補間部の処理を説明するための図である。
【図５】図５は、図３に示すフィールド補間部の処理を説明するための図である。
【図６】図６は、図３に示す２−２シーケンス判定部が入力するビデオ信号を説明するための図である。
【図７】図７は、図３に示す２−２シーケンス判定部の構成図である。
【図８】図８は、図７に示す差分検出部の処理を説明するための図である。
【図９】図９は、図７に示す差分検出部が生成する差分信号を説明するための図である。
【図１０】図１０は、図７に示す差分検出部が生成する差分信号を説明するための図である。
【図１１】図１１は、図７に示す差分検出部が生成する差分信号を説明するための図である。
【図１２】図１２は、図７に示す差分検出部が生成する差分信号を説明するための図である。
【図１３】図１３は、図７に示す２−２シーケンス判定部の動作例を説明するためのフローチャートである。
【図１４】図１４は、図７に示す２−２シーケンス判定部の動作例を説明するための図１３の続きのフローチャートである。
【図１５】図１５は、本実施形態の第１実施形態の変形例に係わる図７に示す２−２シーケンス判定部の動作例を説明するためのフローチャートである。
【図１６】図１６は、本実施形態の第１実施形態の変形例に係わる図７に示す２−２シーケンス判定部の動作例を説明するための図１５の続きのフローチャートである。
【図１７】図１７は、３−２シーケンス形式の画像信号を説明するための図である。
【図１８】図１８は、本発明の第２実施形態に係わるＩＰ変換部の構成図である。
【図１９】図１９は、図１８に示す３−２シーケンス判定部の構成図である。
【図２０】図２０は、図１９に示す差分生成部が生成する差分信号を説明するための図である。
【図２１】図２１は、本発明の第２実施形態の変形例に係わる図１９に示す差分生成部が生成する差分信号を説明するための図である。
【符号の説明】
１…信号処理装置、５…前処理部、６…ＩＰ変換部、７…表示駆動部、８…表示部、１３…メモリ、１４…フィールド補間部、１５，１５ａ…２−２シーケンス判定部、１６…２−２変換部、１７…ＩＰ変換部、１８…出力部、３１…差分検出部、３２…分散算出部、３３…判定部、５６…ＩＰ変換部、６３…メモリ、６５，６５ａ…３−２シーケンス判定部、７１，７１ａ…差分生成部、７２，７２ａ…分散算出部、７３，７３ａ…判定部
【図１】
2005057335.tif 000003
【図２】
2005057335.tif 000004
【図３】
2005057335.tif 000005
【図４】
2005057335.tif 000006
【図５】
2005057335.tif 000007
【図６】
2005057335.tif 000008
【図７】
2005057335.tif 000009
【図８】
2005057335.tif 000010
【図９】
2005057335.tif 000011
【図１０】
2005057335.tif 000012
【図１１】
2005057335.tif 000013
【図１２】
2005057335.tif 000014
【図１３】
2005057335.tif 000015
【図１４】
2005057335.tif 000016
【図１５】
2005057335.tif 000017
【図１６】
2005057335.tif 000018
【図１７】
2005057335.tif 000019
【図１８】
2005057335.tif 000020
【図１９】
2005057335.tif 000021
【図２０】
2005057335.tif 000022
【図２１】
2005057335.tif 000023